(57)【要約】【課題】構造が簡単で組立も容易で小型化が図れ、さらに移動体の移動位置に応じて容易に光の表示を変化させることができる電子部品を提供する。【解決手段】電子部品本体１０と、その内部にスライド移動自在に収納されるスライド移動体７０とを具備し、スライド移動体７０をスライド移動することで電気的出力を変化するスライド式可変抵抗器１である。スライド移動体７０のスライド移動位置に対応する光表示を行なう光表示手段１１０を電子部品本体１０のスライド移動体７０を操作する側の面に設置する。光表示手段１１０はフレキシブル回路基板２０である光表示パターン形成部２３に発光素子３７を取り付け、且つ合成樹脂製の保持部材６０を取り付けて構成される。【選択図】図２
2007335703.tif 000002
【特許請求の範囲】
【請求項１】
電子部品本体と、その内部に移動自在に収納される移動体とを具備し、前記移動体を移動することで電気的出力を変化する電子部品において、
前記移動体の移動位置に対応する光表示を行なう光表示手段を、シート部材に発光素子を取り付けて構成するか、或いはＥＬシートによって構成すると共に、この光表示手段を前記電子部品本体の前記移動体を操作する側の面に設置することを特徴とする電子部品。
【請求項２】
前記シート部材又はＥＬシートには合成樹脂製の保持部材がインサート成形にて取り付けられていることを特徴とする請求項１に記載の電子部品。
【請求項３】
前記電子部品本体内には、前記移動体の移動位置に応じた電気的出力を外部に取り出すフレキシブル回路基板が設置され、
さらに前記光表示手段を構成するシート部材又はＥＬシートもフレキシブル回路基板で構成されていることを特徴とする請求項１又は２に記載の電子部品。
【発明の詳細な説明】
【技術分野】
【０００１】
本発明は、電子部品本体内に収納した移動体の移動位置に応じて光による表示を行なうことができる電子部品に関するものである。
【背景技術】
【０００２】
従来、スライド式可変抵抗器の操作つまみの周囲を光で照光する場合、例えば前記操作つまみの周囲に筒状の透明な材質からなる導光体を設置し、導光体の下面側にＬＥＤ等の発光素子を設置し、発光素子から発射された光を導光体の先端に導く方法等が用いられてきた（例えば特許文献１参照）。
【０００３】
しかしながら上記従来の照光機構には以下のような問題点があった。
（１）導光体や発光素子等をスライド式可変抵抗器に組み込まなければならないので、その構造が複雑になり、組立も煩雑で、コストアップにつながり、その小型化も阻害される。
【０００４】
（２）操作つまみの周囲を照光することはできるが、操作つまみの移動位置に応じて変化する光の表示は行えなかった。
【特許文献１】特開平８−９７０１４号公報
【発明の開示】
【発明が解決しようとする課題】
【０００５】
本発明は上述の点に鑑みてなされたものでありその目的は、構造が簡単で組立も容易で小型化が図れ、さらに移動体の移動位置に応じて光の表示を容易に変化させることができる電子部品を提供することにある。
【課題を解決するための手段】
【０００６】
本願請求項１に記載の発明は、電子部品本体と、その内部に移動自在に収納される移動体とを具備し、前記移動体を移動することで電気的出力を変化する電子部品において、前記移動体の移動位置に対応する光表示を行なう光表示手段を、シート部材に発光素子を取り付けて構成するか、或いはＥＬシートによって構成すると共に、この光表示手段を前記電子部品本体の前記移動体を操作する側の面に設置することを特徴とする電子部品にある。
【０００７】
本願請求項２に記載の発明は、前記シート部材又はＥＬシートには合成樹脂製の保持部材がインサート成形にて取り付けられていることを特徴とする請求項１に記載の電子部品にある。
【０００８】
本願請求項３に記載の発明は、前記電子部品本体内には、前記移動体の移動位置に応じた電気的出力を外部に取り出すフレキシブル回路基板が設置され、さらに前記光表示手段を構成するシート部材又はＥＬシートもフレキシブル回路基板で構成されていることを特徴とする請求項１又は２に記載の電子部品にある。
【発明の効果】
【０００９】
請求項１に記載の発明によれば、移動体の移動位置に応じて光の表示を変化させることができる光表示手段を、容易に製造することができるとともに、光表示手段による光の表示を電子部品を操作する面の側から容易に見ることができる。
【００１０】
請求項２に記載の発明によれば、保持部材によって光表示手段の強度が増し、これを容易に電子部品本体に取り付けることができる。また光表示手段を、移動体を収納した電子部品本体を覆う上ケースとして兼用することができる。
【００１１】
請求項３に記載の発明によれば、移動体の移動位置に応じた電気的出力を容易に電子部品の外部に取り出せると共に、光表示手段に接続されている回路も容易に電子部品の外部に引き出すことができる。
【発明を実施するための最良の形態】
【００１２】
以下、本発明の実施形態を図面に基づいて詳細に説明する。
〔第１実施形態〕
図１は本発明の第１実施形態にかかる電子部品（以下「スライド式可変抵抗器」という）１の斜視図、図２はその概略断面図である。両図に示すようにスライド式可変抵抗器１は、電子部品本体１０内に移動自在に移動体（以下「スライド移動体」という）７０を収納すると共に、電子部品本体１０の上面（下記するスライド移動体７０の操作つまみ７３が突出する側の面）にケース（上ケース）の機能も兼用する光表示手段１１０を取り付けて構成されている。以下各構成部品について説明する。
【００１３】
図３はスライド式可変抵抗器１の分解斜視図である。同図に示すように電子部品本体１０と光表示手段１１０とは、１枚のシート部材（以下「フレキシブル回路基板」という）２０に連結部２５で連結された機能パターン形成部２１及び光表示パターン形成部２３を設け、前記機能パターン形成部２１の周囲及び底面にケース５０を成形して電子部品本体１０を形成し、また光表示パターン形成部２３の上面（図３では下面となっているが、実際には連結部２５の部分で折り返すことで上面となるので、以下図３に示す光表示パターン形成部２３の下面を上面という。図４，図５においても同じ。）に合成樹脂製の保持部材６０を成形して光表示手段１１０を形成して構成されている。
【００１４】
ここで図４はフレキシブル回路基板２０を操作側となる上側から見た斜視図、図５はその下側から見た斜視図である。フレキシブル回路基板２０は１枚の絶縁性及び可撓性を有する合成樹脂フイルム（例えば熱可塑性のポリエチレンテレフタレート（ＰＥＴ）フイルム又はポリイミド（ＰＩ）フイルム。他の材質の合成樹脂フイルムでもよい。）製であり、両図に示すように、矩形状の機能パターン形成部２１と矩形状の光表示パターン形成部２３とを帯状の連結部２５によって連結して構成されている。機能パターン形成部２１はその上面の長手方向に並列（平行）に発光機能用回路パターン２９と電気出力用回路パターン３１とを設け、またその一端から前記機能パターン形成部２１と光表示パターン形成部２３から引き出される回路パターンを外部に引き出す引出部３３を設けている。電気出力用回路パターン３１は、そのパターン形状は省略しているが、スライド移動体７０に取り付けられる下記する出力用摺動子８３を摺接することでスライド移動体７０の移動位置に応じて異なる抵抗値となるように形成された回路パターン群であり、それらは引出部３３の回路パターンに引き出されている。発光機能用回路パターン２９は、そのパターン形状は省略しているが、この実施形態ではスライド移動体７０の移動位置を検出する回路パターンであり、それらは引出部３３の図示しない回路パターンに引き出されている。
【００１５】
光表示パターン形成部２３は中央に下記するスライド移動体７０の操作つまみ７３を挿入する直線矩形状の貫通孔からなる挿入部３５を設け、図５に示すようにその上面（図では下面）の前記挿入部３５の左右両側に所定間隔毎（この実施形態では等間隔）に複数（この実施形態では左右６個ずつ）の発光素子（本実施形態では矩形状のチップＬＥＤ）３７を取り付け、また発光素子３７を取り付けた間の複数箇所（この実施形態では左右３個ずつ）に貫通する小孔からなる挿通部３９を設けて構成されている。引出部３３の引き出した先端側が接続される図示しない基板には、図示しない発光素子駆動回路が設置されており、この発光素子駆動回路に前記発光機能用回路パターン２９の出力が入力され、発光素子駆動回路から各発光素子３７にそれらの駆動電力が供給される。この発光素子駆動回路は、前記発光機能用回路パターン２９の出力に応じて、各発光素子３７の発光状態を変化して表示させるための回路であり、例えばスライド移動体７０を一端側からスライド移動するとそれに伴なって発光素子３７が１つ，２つと点灯していき、最後は全ての発光素子３７が点灯するように各発光素子３７を駆動したり、スライド移動体７０をスライド移動するとその移動位置に１つずつ対応する発光素子３７のみが点灯したりするように各発光素子３７を駆動するものである。この実施形態では前者のように発光素子３７が点灯する構成としている。なおこの発光素子駆動回路は、引出部３３から引き出された図示しない別の基板上に設ける代わりに、前記機能パターン形成部２１や光表示パターン形成部２３に形成しても良い。なおフレキシブル回路基板２０の上下面に亘る回路パターンは、フレキシブル回路基板２０に設けたスルーホールによって接続する。
【００１６】
次にケース５０は、インサート成形によって、前記機能パターン形成部２１の周囲及び底面に有底箱状に成形されている。即ちケース５０は矩形筒状の側壁５１の底面に底部５３を一体に成形し、これによってその内部にスライド移動体収納部５４を形成して構成されており、底部５３上に前記機能パターン形成部２１を設置し、これによって開放されているケース５０の操作側である上面側からその内部の底面に前記機能パターン形成部２１の発光機能用回路パターン２９と電気出力用回路パターン３１とを露出している。側壁５１の上端辺には、複数本（６本）の上方向に突出する小突起状の係止部５２が設けられている。そしてケース５０の長尺な一方の側壁５１の約中央位置からは連結部２５が引き出され、また側壁５１の一端部からは引出部３３が引き出されている。側壁５１の連結部２５が突出している部分には、上下方向に向かって凹状に切り欠かれた連結部挿入部５７が設けられている。ケース５０の材質としては、例えば熱可塑性のＰＢＴ樹脂やＰＯＭ樹脂やＡＢＳ樹脂等を用い、この実施形態では不透明なものを使用しているが、透明・半透明なものを使用しても良い。
【００１７】
保持部材６０は図１〜図３に示すように長尺矩形状の板状の合成樹脂成形品であって、光表示パターン形成部２３の操作側である上面側（発光素子３７を取り付けた面側）にインサート成形によって成形されており、その外形寸法は光表示パターン形成部２３とほぼ同一外形寸法であり、且つ光表示パターン形成部２３上に取り付けた発光素子３７の表面がその表面に露出するようにインサート成形されている。発光素子３７の表面と保持部材６０の表面とは同一面となっている。保持部材６０の前記光表示パターン形成部２３の挿入部３５に対向する位置にはこれと略同一寸法形状の挿入部６１が設けられ、また保持部材６０の前記各光表示パターン形成部２３の挿通部３９に対向する位置にはこれと略同一径の挿入係止部６３が設けられている。保持部材６０の材質としては、例えば熱可塑性のＰＢＴ樹脂やＰＯＭ樹脂やＡＢＳ樹脂等を用い、この実施形態では不透明なものを使用しているが、透明・半透明なものを使用しても良い。
【００１８】
スライド移動体７０は、前記ケース５０のスライド移動体収納部５４内に収納できる外径寸法の略矩形状の移動体本体７１と、移動体本体７１の操作側である上面中央から上方向に向けて突出する操作つまみ７３とを具備して構成されている。操作つまみ７３は平板矩形状であり、その厚みは前記光表示手段１１０の挿入部３５，６１に挿入してスライド移動自在となるように、挿入部３５，６１の内径寸法よりも小さい寸法に形成されている。移動体本体７１の下面には、図２に示すように、発光用摺動子８１と出力用摺動子８３の２つの摺動子がそれぞれ前記機能パターン形成部２１の発光機能用回路パターン２９と電気出力用回路パターン３１に対向して取り付けられている。
【００１９】
スライド式可変抵抗器１を組み立てるには、予め移動体本体７１の下面に発光用摺動子８１と出力用摺動子８３とを取り付ける。次にこのスライド移動体７０の移動体本体７１をケース５０のスライド移動体収納部５４に収納する。次に連結部２５の部分を折り曲げることによって、ケース５０上に上ケースとなる光表示手段１１０を被せる。このとき光表示手段１１０に設けた挿入部３５，６１にスライド移動体７０の操作つまみ７３を挿入し、光表示手段１１０に設けた各挿通部３９と挿入係止部６３にケース５０の各係止部５２を挿入する。またこのとき連結部２５は連結部挿入部５７内に収納される。そして光表示手段１１０の保持部材６０の上面側に突出した前記各係止部５２の先端を熱カシメすれば、図１に示す回転式可変抵抗器１が完成する。
【００２０】
以上のようにして完成した回転式可変抵抗器１において、前記引出部３３を図示しない基板に接続することにより、前記電気出力用回路パターン３１の出力を前記基板に取り出す。
【００２１】
そして操作つまみ７３を直線状にスライド移動すると、スライド移動体７０に取り付けた出力用摺動子８３が電気出力用回路パターン３１上を摺動し、その電気的出力が通常、電圧の変化として引出部３３から前記図示しない基板に取り出される。一方このときスライド移動体７０に取り付けた発光用摺動子８１が発光機能用回路パターン２９上を摺動し、これによってスライド移動体７０のスライド移動位置に応じた出力が前記図示しない基板に設けた発光素子駆動回路に入力され、この発光素子駆動回路からのスライド移動体７０の位置に応じた各発光素子３７の駆動信号により、各発光素子３７が発光する。この実施形態の場合、スライド移動体７０が図１で示す最も左端にあるときは、例えば各発光素子３７は何れも点灯せず、スライド移動体７０を右側にスライド移動していくとまず発光素子３７の内の左端の１つの発光素子３７が点灯し、さらに右側にスライド移動していくと前記点灯した発光素子３７の右側の発光素子３７も１つ点灯し、さらに右側にスライド移動していくとさらに右側の発光素子３７も点灯し、最後に最も右端まで移動すると全ての発光素子３７が点灯するように動作する。操作つまみ７３を右端から左方向に向かってスライド移動していくと、逆に右側の発光素子３７から順に消灯していく。つまり直線状（帯状）の発光素子３７のその直線の一部又は全体が点灯し、これにより操作つまみ７３によって設定された位置が光によって表示され、容易に暗い場所でも目視によって操作つまみ７３の設定位置を認識できることになる。
【００２２】
以上のようにこの実施形態には、電子部品本体１０と、その内部にスライド移動自在に収納されるスライド移動体７０とを具備し、前記スライド移動体７０をスライド移動することで電気的出力を変化するスライド式可変抵抗器１において、前記スライド移動体７０のスライド移動位置に対応する光表示を行なう光表示手段１１０をシート部材であるフレキシブル回路基板２０に発光素子３７を取り付けて構成するとともに、この光表示手段１１０を電子部品本体１０のスライド移動体７０を操作する側の面に設置したので、スライド移動体７０のスライド移動位置に応じて光の表示を変化させることができる光表示手段１１０を容易に製造することができるとともに、光表示手段１１０による光の表示をスライド式可変抵抗器１を操作する面の側から容易に見ることができる。この実施形態においては、シート部材であるフレキシブル回路基板２０に合成樹脂製の保持部材６０を取り付けたので、光表示手段１１０の強度が増し、これを容易に電子部品本体１０に取り付けることができる。また光表示手段１１０をスライド移動体７０を収納した電子部品本体１０を覆う上ケースとして兼用することができる。この実施形態においては、電子部品本体１０内にスライド移動体７０のスライド移動位置に応じた電気的出力を外部に取り出すフレキシブル回路基板２０を設置し、光表示手段１１０を構成するシート部材をこのフレキシブル回路基板２０で構成したので、スライド移動体７０の移動位置に応じた電気的出力を容易にスライド式電子部品１の外部に取り出せると共に、光表示手段１１０に接続されている回路も容易にスライド式電子部品１の外部に引き出せる。なお、電子部品本体１０内に設置したフレキシブル回路基板２０と光表示手段１１０を構成するシート部材（フレキシブル回路基板）とは別々の部品で構成しても良い。その場合、例えば両者を所定の位置で導電性接着材などで接続しても良い。
【００２３】
〔第２実施形態〕
図６は本発明の第２実施形態にかかる電子部品（以下「スライド式可変抵抗器」という）１−２の斜視図、図７はその概略断面図である。両図に示すようにスライド式可変抵抗器１−２は、電子部品本体１０−２内に移動自在に移動体（以下「スライド移動体」という）７０−２を収納すると共に、電子部品本体１０−２の上面（下記するスライド移動体７０−２の操作つまみ７３−２が突出する側の面）にケース（上ケース）の機能も兼用する光表示手段１１０−２を取り付けて構成されている。以下各構成部品について説明する。
【００２４】
図８はスライド式可変抵抗器１−２の分解斜視図である。同図に示すように電子部品本体１０−２は、シート部材（以下「フレキシブル回路基板」という）２０−２からなる機能パターン形成部２１−２の周囲及び底面にケース５０−２を成形して構成されている。フレキシブル回路基板２０−２は１枚の絶縁性及び可撓性を有する合成樹脂フイルム（例えばＰＥＴフイルム又はＰＩフイルム。他の材質の合成樹脂フイルムでも良い。）製であり、矩形状の機能パターン形成部２１−２はその上面の長手方向に並列（平行）に発光機能用回路パターン２９−２と電気出力用回路パターン３１−２とを設け、またその一端から前記機能パターン形成部２１−２から引き出される回路パターンを外部に引き出す引出部３３−２を設けて構成されている。発光機能用回路パターン２９−２及び電気出力用回路パターン３１−２の機能は、前記第１実施形態にかかる発光機能用回路パターン２９及び電気出力用回路パターン３１の機能と同じである。
【００２５】
ケース５０−２は、インサート成形によって、前記機能パターン形成部２１−２の周囲及び底面に有底箱状に成形されている。即ちケース５０−２は矩形筒状の側壁５１−２の底面に底部５３−２を一体に成形し、これによってその内部にスライド移動体収納部５４−２を形成して構成されており、底部５３−２上に前記機能パターン形成部２１−２を設置し、開放されているケース５０−２の操作側である上面側から内部の底面に前記機能パターン形成部２１−２の発光機能用回路パターン２９−２及び電気出力用回路パターン３１−２を露出している。側壁５１−２の上端辺には、複数本（６本）の上方向に突出する小突起状の係止部５２−２が設けられている。そしてケース５０−２の側壁５１−２の一端部からは引出部３３−２が引き出されている。ケース５０−２の材質は、前記第１実施形態のケース５０と同じである。
【００２６】
スライド移動体７０−２（これを構成する移動体本体７１−２、操作つまみ７３−２）及びこれに取り付ける発光用摺動子８１−２と出力用摺動子８３−２の構成は、前記第１実施形態で説明したスライド移動体７０（これを構成する移動体本体７１、操作つまみ７３）及びこれに取り付ける発光用摺動子８１と出力用摺動子８３の構成と同一である。
【００２７】
光表示手段１１０−２は、合成樹脂製で長尺矩形状の板状の保持部材６０−２の上面に保持部材６０−２と同一寸法形状のＥＬ（エレクトロルミネッセンス）シート２３−２を一体に取り付けて構成されている。ＥＬシート２３−２にはスライド移動体７０−２の操作つまみ７３−２を挿入する矩形直線状の貫通孔からなる挿入部３５−２を設け、その上面の前記挿入部３５−２の両側に所定間隔毎（この実施形態では等間隔）に複数（この実施形態では左右６個ずつ）のＥＬ発光部３７−２を設け、またＥＬ発光部３７−２の間の複数箇所（この実施形態では左右３個ずつ）に貫通する小孔からなる挿通部３９−２を設け、さらにその一端に帯状に延びる導出部４１−２を一体に連結して構成されている。導出部４１−２には前記各ＥＬ発光部３７−２に接続された図示しない回路パターンが引き出されており、その先は図示しない別の基板に接続され、この別の基板上に設けたＥＬ発光部駆動回路に接続されている。ＥＬ発光部３７−２の構造には種々のものがあるが、この実施形態では前記ＥＬシート２３−２を構成する透明なＰＥＴフイルム上（図６ではその下面）に前面電極となるＩＴＯ（酸化インジウム錫）膜を形成し、ＩＴＯ膜上に蛍光体層と誘電体層と背面電極層とレジスト層とを積層してなるフレキシブル回路基板で構成されている。そして前記ＥＬ発光部駆動回路からＥＬ発光部３７−２に所定の交流電圧が印加されると、ＥＬ発光部３７−２中の蛍光体層が発光して透明なＥＬシート２３−２を通して明るく照光する。なおＥＬ発光部駆動回路は、前記発光機能用回路パターン２９−２の出力を入力することによって、各ＥＬ発光部３７−２の発光状態を変化して表示させるための回路であり、例えばスライド移動体７０−２を一端側からスライド移動するとそれに従ってＥＬ発光部３７−２が１つ，２つと点灯していき、最後は全てのＥＬ発光部３７−２が点灯するように各ＥＬ発光部３７−２を駆動したり、スライド移動体７０−２をスライド移動するとその移動位置に１つずつ対応するＥＬ発光部３７−２のみが点灯したりするように各ＥＬ発光部３７−２を駆動するものである。この実施形態では前者のようにＥＬ発光部３７−２が点灯する構成としている。
【００２８】
保持部材６０−２は長尺矩形状の板状の合成樹脂成形品であって、ＥＬシート２３−２の下面側にＥＬシート２３−２をインサート成形することによって成形されており、その外形寸法はＥＬシート２３−２とほぼ同一外形寸法である。保持部材６０−２の前記ＥＬシート２３−２の挿入部３５−２に対向する位置にはこれと略同一形状の挿入部６１−２が設けられ、また保持部材６０−２の前記各ＥＬシート２３−２の挿通部３９−２に対向する位置にはこれと略同一径の挿入係止部６３−２が設けられている。保持部材６０−２の材質は、前記第１実施形態の保持部材６０の材質と同じである。
【００２９】
スライド式可変抵抗器１−２を組み立てるには、下面に発光用摺動子８１−２と出力用摺動子８３−２とを取り付けたスライド移動体７０−２の移動体本体７１−２を、ケース５０−２のスライド移動体収納部５４−２に収納する。次にケース５０−２上に上ケースとなる光表示手段１１０−２を被せる。このとき光表示手段１１０−２に設けた挿入部３５−２，６１−２にスライド移動体７０−２の操作つまみ７３−２を挿入し、光表示手段１１０−２に設けた各挿通部３９−２と挿入係止部６３−２にケース５０−２の各係止部５２−２を挿入する。そして光表示手段１１０−２のＥＬシート２３−２の上面側に突出した前記各係止部５２−２の先端を熱カシメすれば、図６に示すスライド式可変抵抗器１−２が完成する。
【００３０】
以上のようにして完成したスライド式可変抵抗器１−２において、前記引出部３３−２と導出部４１−２とを図示しない基板に接続することにより、前記電気出力用回路パターン３１−２と発光機能用回路パターン２９−２の出力を前記図示しない基板に取り出すと同時に、前記ＥＬシート２３−２に前記図示しない基板側に設けたＥＬ発光部駆動回路からの駆動電力を供給する。
【００３１】
そして操作つまみ７３−２を直線状にスライド移動すると、スライド移動体７０−２に取り付けた出力用摺動子８３−２が電気出力用回路パターン３１−２上を摺動し、その電気的出力が通常、電圧の変化として引出部３３−２から前記図示しない基板に取り出される。一方このときスライド移動体７０−２に取り付けた発光用摺動子８１−２が発光機能用回路パターン２９−２上を摺動し、これによってスライド移動体７０−２のスライド移動位置に応じた出力が前記図示しない基板に設けたＥＬ発光部駆動回路に入力され、このＥＬ発光部駆動回路からのスライド移動体７０−２の位置に応じた各ＥＬ発光部３７−２の駆動信号により各発光素子３７−２が発光する。この実施形態の場合は、スライド移動体７０−２が図６で示す最も左端にあるときは、例えば各ＥＬ発光部３７−２は何れも点灯せず、スライド移動体７０−２を右側にスライド移動していくとまずＥＬ発光部３７−２の内の左端の１つのＥＬ発光部３７−２が点灯し、さらに右側にスライド移動していくと前記点灯したＥＬ発光部３７−２の右側のＥＬ発光部３７−２も１つ点灯し、さらに右側にスライド移動していくとさらに右側のＥＬ発光部３７−２も点灯し、最後に最も右端まで移動すると全てのＥＬ発光部３７−２が点灯するように動作する。操作つまみ７３−２を右端から左方向に向かってスライド移動していくと、逆に右側のＥＬ発光部３７−２から順に消灯していく。つまり直線状（帯状）のＥＬ発光部３７−２のその直線の一部又は全体が点灯し、これにより操作つまみ７３−２によって設定された位置が光によって表示され、容易に暗い場所でも目視によって操作つまみ７３−２の設定位置を認識できることになる。
【００３２】
以上のようにこの実施形態には、電子部品本体１０−２と、その内部にスライド移動自在に収納されるスライド移動体７０−２とを具備し、前記スライド移動体７０−２をスライド移動することで電気的出力を変化するスライド式可変抵抗器１−２において、前記スライド移動体７０−２のスライド移動位置に対応する光表示を行なう光表示手段１１０−２を、ＥＬシート２３−２によって構成するとともに、この光表示手段１１０−２を電子部品本体１０−２のスライド移動体７０−２を操作する側の面に設置することとしたので、スライド移動体７０−２のスライド移動位置に応じて光の表示を変化させることができる光表示手段１１０を容易に製造することができるとともに、光表示手段１１０−２による光の表示をこのスライド式可変抵抗器１−２を操作する面の側から容易に見ることができる。この実施形態においては、ＥＬシート２３−２に合成樹脂製の保持部材６０−２を取り付けたので、光表示手段１１０−２の強度が増し、これを容易に電子部品本体１０−２に取り付けることができる。また光表示手段１１０−２をスライド移動体７０−２を収納した電子部品本体１０−２を覆う上ケースとして兼用することができる。なおこの実施形態ではＥＬシート２３−２を保持部材６０−２にインサート成形したが、両者は接着や熱かしめ等のその他の各種手段によって一体に固定しても良い。
【００３３】
またこの実施形態においては、電子部品本体１０−２内にスライド移動体７０−２のスライド移動位置に応じた電気的出力を外部に取り出すフレキシブル回路基板２０−２が設置され、さらに光表示手段１１０−２を構成するＥＬシート２３−２もフレキシブル回路基板で構成したので、スライド移動体７０−２のスライド移動位置に応じた電気的出力を容易にスライド式電子部品１−２の外部に取り出せると共に、光表示手段１１０−２に接続されている回路も容易にスライド式電子部品１−２の外部に引き出せる。なおフレキシブル回路基板２０−２とＥＬシート２３−２とは第１実施形態のように１枚のフレキシブル回路基板で構成しても良い。その場合、部品点数の削減が図れるばかりか、光表示手段１１０−２に接続されている回路を引出部３３−２から容易にスライド式可変抵抗器１−２の外部に引き出すことができる。
【００３４】
〔第３実施形態〕
図９は本発明の第３実施形態にかかる電子部品（回転式可変抵抗器）１−３の斜視図、図１０はその概略断面図である。両図に示すようにこの可変抵抗器１−３は、電子部品本体１０−３内に移動自在に移動体（以下「回転体」という）７０−３を収納すると共に、電子部品本体１０−３の上面（下記する回転体７０−３の操作つまみ７３−３が突出する側の面）にケース（上ケース）の機能も兼用する光表示手段１１０−３を取り付けて構成されている。以下各構成部品について説明する。
【００３５】
図１１は可変抵抗器１−３の分解斜視図である。同図に示すように電子部品本体１０−３と光表示手段１１０−３とは、１枚のシート部材（以下「フレキシブル回路基板」という）２０−３に連結部２５−３で連結された機能パターン形成部２１−３及び光表示パターン形成部２３−３を設け、前記機能パターン形成部２１−３の周囲及び底面にケース５０−３を成形して電子部品本体１０−３を形成し、また光表示パターン形成部２３−３の上面（図１１では下面となっているが、実際には連結部２５−３の部分で折り返すことで上面となるので、以下図１１に示す光表示パターン形成部２３−３の下面を上面という。図１２，図１３においても同じ。）に合成樹脂製の保持部材６０−３を成形して光表示手段１１０−３を形成して構成されている。
【００３６】
ここで図１２はフレキシブル回路基板２０−３を操作側となる上側から見た斜視図、図１３はその下側から見た斜視図である。フレキシブル回路基板２０−３は１枚の絶縁性及び可撓性を有する合成樹脂フイルム（例えばＰＥＴフイルム又はＰＩフイルム。他の材質の合成樹脂フイルムでも良い。）製であり、両図に示すように、円形の機能パターン形成部２１−３と円形の光表示パターン形成部２３−３とを帯状の連結部２５−３によって連結して構成されている。機能パターン形成部２１−３は中央に下記する回転体７０−３の軸支部７５−３を挿入する円形の貫通孔からなる挿通部２７−３を設け、その上面の前記挿通部２７−３の周囲に同心円状に内側から発光機能用回路パターン２９−３、電気出力用回路パターン３１−３を設け、またその外周から前記機能パターン形成部２１−３と光表示パターン形成部２３−３から引き出される回路パターンを外部に引き出す引出部３３−３を設けて構成されている。電気出力用回路パターン３１−３は、そのパターン形状は省略しているが、回転体７０−３に取り付けられる下記する出力用摺動子８３−３を摺接することで回転体７０−３の回転位置に応じて異なる抵抗値となるように形成された回路パターン群であり、それらは引出部３３−３の図示しない回路パターンに引き出されている。発光機能用回路パターン２９−３は、そのパターン形状は省略しているが、この実施形態では回転体７０−３の回転位置を検出する回路パターンであり、それらは引出部３３−３の図示しない回路パターンに引き出されている。
【００３７】
光表示パターン形成部２３−３は中央に下記する回転体７０−３の操作つまみ７３−３を挿入する円形の貫通孔からなる挿入部３５−３を設け、図１３に示すようにその上面（図では下面）の前記挿入部３５−３の周囲の同一円周上に所定間隔毎（この実施形態では等間隔）に複数（この実施形態では８個）の発光素子（本実施形態では矩形状のチップＬＥＤ）３７−３を取り付け、また発光素子３７−３を取り付けた間の複数箇所（この実施形態では４個）に貫通する小孔からなる挿通部３９−３を設けて構成されている。なお引出部３３−３の引き出した先端側が接続される図示しない基板には、図示しない発光素子駆動回路が設置されており、この発光素子駆動回路に前記発光機能用回路パターン２９−３の出力が入力され、発光素子駆動回路から各発光素子３７−３にそれらの駆動電力が供給される。この発光素子駆動回路は、前記発光機能用回路パターン２９−３の出力に応じて、各発光素子３７−３の発光状態を変化して表示させるための回路であり、例えば回転体７０−３を回転するとそれに伴なって発光素子３７−３が１つ，２つと点灯していき、最後は全ての発光素子３７−３が点灯するように各発光素子３７−３を駆動したり、回転体７０−３を回転するとその回転位置に１つずつ対応する発光素子３７−３のみが点灯したりするように各発光素子３７−３を駆動するものである。この実施形態では前者のように発光素子３７−３が点灯する構成としている。なおこの発光素子駆動回路は、引出部３３−３から引き出された図示しない別の基板上に設ける代わりに、前記機能パターン形成部２１−３や光表示パターン形成部２３−３に形成しても良い。なおフレキシブル回路基板２０−３の上下面に亘る回路パターンは、フレキシブル回路基板２０−３に設けたスルーホールによって接続する。
【００３８】
次にケース５０−３は、インサート成形によって、前記機能パターン形成部２１−３の周囲及び底面に有底筒状に成形されている。即ちケース５０−３は筒状の側壁５１−３の底面に底部５３−３を一体に成形し、これによってその内部に回転体収納部５４−３を形成して構成されており、底部５３−３上に前記機能パターン形成部２１−３を設置し、これによって開放されているケース５０−３の操作側である上面側からその内部の底面に前記機能パターン形成部２１−３の発光機能用回路パターン２９−３と電気出力用回路パターン３１−３とを露出している。側壁５１−３の上端辺には、複数本（４本）の上方向に突出する小突起状の係止部５２−３が設けられ、また底部５３−３中央の前記機能パターン形成部２１−３の挿通部２７−３に対向する位置にはこれと同一径の挿入支持部５５−３が設けられている。そしてケース５０−３の側壁５１−３の約１８０°対向する位置からは、連結部２５−３と引出部３３−３とがそれぞれ引き出されている。側壁５１−３の連結部２５−３が突出している部分には、上下方向に向かって凹状に切り欠かれた連結部挿入部５７−３が設けられている。ケース５０−３の材質としては、例えば熱可塑性のＰＢＴ樹脂やＰＯＭ樹脂やＡＢＳ樹脂等を用い、この実施形態では不透明なものを使用しているが、透明・半透明なものを使用しても良い。
【００３９】
保持部材６０−３は図９〜図１１に示すように円形の板状の合成樹脂成形品であって、光表示パターン形成部２３−３の操作側である上面側（発光素子３７−３を取り付けた面側）にインサート成形によって成形されており、その外形寸法は光表示パターン形成部２３−３とほぼ同一外形寸法であり、且つ光表示パターン形成部２３−３上に取り付けた発光素子３７−３の表面がその表面に露出するようにインサート成形されている。発光素子３７−３の表面と保持部材６０−３の表面とは同一面となっている。保持部材６０−３の前記光表示パターン形成部２３−３の挿入部３５−３に対向する位置にはこれと略同一内径の挿入部６１−３が設けられ、また保持部材６０−３の前記各光表示パターン形成部２３−３の挿通部３９−３に対向する位置にはこれと略同一径の挿入係止部６３−３が設けられている。各挿入係止部６３−３の上面側にはその内径を大きくした凹部６５−３が設けられている。保持部材６０−３の材質としては、例えば熱可塑性のＰＢＴ樹脂やＰＯＭ樹脂やＡＢＳ樹脂等を用い、この実施形態では不透明なものを使用しているが、透明・半透明なものを使用しても良い。
【００４０】
回転体７０−３は、前記ケース５０−３の回転体収納部５４−３内に収納できる外径寸法の円形の板状の回転体本体７１−３と、回転体本体７１−３の操作側である上面中央から上方向に向けて突出する操作つまみ７３−３と、回転体本体７１−３の下面中央から下方向に向けて突出する軸支部７５−３とを具備して構成されている。操作つまみ７３−３は円形の柱状であり、その外径寸法は前記光表示手段１１０−３の挿入部３５−３，６１−３に挿入して回動自在に支持されるように、挿入部３５−３，６１−３の内径寸法よりも若干小さい寸法に形成されている。軸支部７５−３は円形の柱状であり、その外径寸法は前記機能パターン形成部２１−３の挿通部２７−３及びケース５０−３の挿入支持部５５−３に挿入して回動自在に支持されるように、挿通部２７−３及び挿入支持部５５−３の内径寸法よりも若干小さい寸法に形成されている。回転体本体７１−３の下面には、発光用摺動子８１−３と出力用摺動子８３−３の２つの摺動子がそれぞれ前記機能パターン形成部２１−３の発光機能用回路パターン２９−３と電気出力用回路パターン３１−３に対向して取り付けられている。
【００４１】
回転式可変抵抗器１−３を組み立てるには、まず予め回転体本体７１−３の下面に発光用摺動子８１−３と出力用摺動子８３−３とを取り付ける。次にこの回転体７０−３の回転体本体７１−３をケース５０−３の回転体収納部５４−３に収納する。このとき回転体７０−３の軸支部７５−３を機能パターン形成部２１−３の挿通部２７−３とケース５０−３の挿入支持部５５−３とに挿入し、挿入支持部５５−３によって回転体７０−３を回動自在に軸支する。次に連結部２５−３の部分を折り曲げることによって、前記ケース５０−３上に上ケースとなる光表示手段１１０−３を被せる。このとき光表示手段１１０−３に設けた挿入部３５−３，６１−３に回転体７０−３の操作つまみ７３−３を挿入し、光表示手段１１０−３に設けた各挿通部３９−３と挿入係止部６３−３にケース５０−３の各係止部５２−３を挿入する。またこのとき連結部２５−３は連結部挿入部５７−３内に収納される。そして光表示手段１１０−３の保持部材６０−３の上面側に突出した前記各係止部５２−３の先端を熱カシメすれば、図９に示す可変抵抗器１−３が完成する。
【００４２】
以上のようにして完成した可変抵抗器１−３において、前記引出部３３−３を図示しない基板に接続することにより、前記電気出力用回路パターン３１−３の出力を前記基板に取り出す。
【００４３】
そして操作つまみ７３−３を回転すると、回転体７０−３に取り付けた出力用摺動子８３−３が電気出力用回路パターン３１−３上を摺動し、その電気的出力が通常、電圧の変化として引出部３３−３から前記図示しない基板に取り出される。一方このとき回転体７０−３に取り付けた発光用摺動子８１−３が発光機能用回路パターン２９−３上を摺動し、これによって回転体７０−３の回転位置に応じた出力が前記図示しない基板に設けた発光素子駆動回路に入力され、この発光素子駆動回路からの回転体７０−３の位置に応じた各発光素子３７−３の駆動信号により、各発光素子３７−３が発光する。この実施形態の場合は、回転体７０−３が左回りで最も左側にあるときは、例えば各発光素子３７−３は何れも点灯せず、回転体７０−３を右回りに回転していくとまず発光素子３７−３の内の何れか１つの発光素子３７−３が点灯し、さらに右回りに回転していくと前記点灯した発光素子３７−３の右側の発光素子３７−３も１つ点灯し、さらに右回りに回転していくとさらに右側の発光素子３７−３も点灯し、最後に最も右端まで回転すると全ての発光素子３７−３が点灯するように動作する。操作つまみ７３−３を左方向に回動していくと、逆に右側の発光素子３７−３から順に消灯していく。つまりリング状の発光素子３７−３のそのリングの一部又は全体が点灯し、これにより操作つまみ７３−３によって設定された位置が光によって表示され、容易に暗い場所でも目視によって操作つまみ７３−３の設定位置を認識できることになる。
【００４４】
この実施形態にかかる可変抵抗器１−３においても、前記スライド式可変抵抗器１−１の場合と同様の作用・効果が生じる。
【００４５】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載のない何れの形状・構造・材質であっても、本願発明の作用・効果を奏する以上、本願発明の技術的思想の範囲内である。例えば上記各実施形態では移動体（スライド移動体７０，７０−２，回転体７０−３）側に摺動子（発光用摺動子８１，８１−２，８１−３と出力用摺動子８３，８３−２，８３−３）を取り付け、フレキシブル回路基板２０，２０−２，２０−３側に発光機能用回路パターン２９，２９−２，２９−３と電気出力用回路パターン３１，３１−２，３１−３を設けたが、これらは逆に、移動体側に発光機能用回路パターン２９，２９−２，２９−３と電気出力用回路パターン３１，３１−２，３１−３を設け、フレキシブル回路基板２０，２０−２，２０−３側に摺動子を取り付けてもよい。要は移動体を移動することでその電気的出力が変化する電気的機能部を設けるものであれば良い。
【００４６】
また上記実施形態では光表示手段１１０，１１０−３，１１０−２を、シート部材であるフレキシブル回路基板２０，２０−３又はＥＬシート２３−２に補強用の保持部材６０，６０−３，６０−２を取り付けて構成したが、場合によっては保持部材６０，６０−３，６０−２を省略し、フレキシブル回路基板２０，２０−３又はＥＬシート２３−２だけで光表示手段１１０，１１０−３，１１０−２を構成しても良い。
【００４７】
また発光素子３７，３７−３，ＥＬ発光部３７−２の各々の移動体（スライド移動体７０，回転体７０−３，スライド移動体７０−２）を移動した際の発光の状態が上記各実施形態の発光の状態に限定されないことは言うまでもなく、種々の変形が可能である。また発光素子３７，３７−３，ＥＬ発光部３７−２の設置位置も必要に応じて種々の変更が可能である。要は移動体の移動状態に対応する光表示を行なう光表示手段であればよい。
【００４８】
また上記実施形態では本発明を可変抵抗器に用いた場合を説明したが、スイッチ等の他の電子部品に適用しても良い。またスライド移動するスライド移動体の移動方向は必ずしも直線状でなくてもよく、円弧状等、種々の変更が可能である。
【図面の簡単な説明】
【００４９】
【図１】スライド式可変抵抗器１の斜視図である。
【図２】スライド式可変抵抗器１の概略断面図である。
【図３】スライド式可変抵抗器１の分解斜視図である。
【図４】フレキシブル回路基板２０を上側から見た斜視図である。
【図５】フレキシブル回路基板２０を下側から見た斜視図である。
【図６】スライド式可変抵抗器１−２の斜視図である。
【図７】スライド式可変抵抗器１−２の概略断面図である。
【図８】スライド式可変抵抗器１−２の分解斜視図である。
【図９】他の可変抵抗器１−３の斜視図である。
【図１０】他の可変抵抗器１−３の概略断面図である。
【図１１】他の可変抵抗器１−３の分解斜視図である。
【図１２】フレキシブル回路基板２０−３を上側から見た斜視図である。
【図１３】フレキシブル回路基板２０−３を下側から見た斜視図である。
【符号の説明】
【００５０】
１−１  スライド式可変抵抗器（スライド式電子部品、電子部品）
１０  電子部品本体
２０  フレキシブル回路基板（シート部材）
３７  発光素子
５０  ケース
６０  保持部材
７０  スライド移動体（移動体）
８１  発光用摺動子
８３  出力用摺動子
１１０  光表示手段
１−２  スライド式可変抵抗器（スライド式電子部品、電子部品）
１０−２  電子部品本体
２３−２  ＥＬシート
３７−２  ＥＬ発光部
５０−２  ケース
６０−２  保持部材
７０−２  スライド移動体（移動体）
１１０−２  光表示手段
１−３  他の可変抵抗器（電子部品）
１０−３  電子部品本体
２０−３  フレキシブル回路基板
３７−３  発光素子
５０−３  ケース
６０−３  保持部材
７０−３  回転体（移動体）
８１−３  発光用摺動子
８３−３  出力用摺動子
１１０−３  光表示手段
【図１】
2007335703.tif 000003
【図２】
2007335703.tif 000004
【図３】
2007335703.tif 000005
【図４】
2007335703.tif 000006
【図５】
2007335703.tif 000007
【図６】
2007335703.tif 000008
【図７】
2007335703.tif 000009
【図８】
2007335703.tif 000010
【図９】
2007335703.tif 000011
【図１０】
2007335703.tif 000012
【図１１】
2007335703.tif 000013
【図１２】
2007335703.tif 000014
【図１３】
2007335703.tif 000015